【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
建物に固定された架台と基礎との間に設置される免震装置において、
建物の前記架台に取り付けられた滑り支承と、前記滑り支承を支持するための支承転動台と、前記支承転動台を支持するための衝撃緩衝装置と、建物の前記基礎に設置され、前記衝撃緩衝装置を支持するための装置固定盤と、を備えており、
前記滑り支承は、転動する複数の球体と、前記複数の球体を保持する保持器とを備え、前記支承転動台は、凹面を有する円盤体プレートを有し、前記衝撃緩衝装置は、複数の弾性体とフラットプレートを重ねて構成されており、
前記支承転動台は、前記衝撃緩衝装置を介して前記装置固定盤に支持され、前記衝撃緩衝装置は地震の際の竪揺れを緩衝し、また、前記滑り支承の前記複数の球体は前記支承転動台の前記円盤体プレートに支持され、前記複数の球体及び前記円盤体プレートは地震の際の横揺れを緩衝することを特徴とする免震装置。
【請求項２】
建物に固定された架台と基礎との間に設置される免震装置において、
建物の前記架台に取り付けられた滑動基盤と、前記滑動基盤を支持するための滑り支承と、前記滑り支承を弾性的に支持するための弾性体と、建物の前記基礎に設置された装置固定盤と、を備えており、
前記滑り支承は、転動する複数の球体と、前記複数の球体を保持する保持器とを備え、前記滑動基盤は、前記架台に取り付けられる滑動用上部プレートと、前記滑り支承に支持される滑動用下部プレートと、前記滑動用上部プレート及び前記滑動用下部プレートの間に介在された弾性体とを有し、
前記滑り支承は、前記弾性体を介して前記装置固定盤に支持され、前記弾性体は地震の際の竪揺れを緩衝し、また、前記滑動基盤の前記滑動用下部プレートは前記滑り支承の前記複数の球体に支持され、前記複数の球体及び前記滑動用下部プレートは地震の際の横揺れを緩衝することを特徴とする免震装置。
【請求項３】
建物の前記架台と前記基礎との間には、地震の際の全方向の動きを制御するための補助装置が設けられ、前記補助装置は前記滑り支承及び前記支承転動台の周りに配置されていることを特徴とする請求項１又は２に記載の免震装置。
【請求項４】
前記補助装置は、建物の前記架台に設けられたアンカー金物と、建物の前記基礎に設置されたアンカー金物と、これらアンカー金物の間に介在された自在伸縮材とから構成されていることを特徴とする請求項３に記載の免震装置。
【手続補正２】
【補正対象書類名】明細書
【補正対象項目名】０００２
【補正方法】変更
【補正の内容】
【０００２】
日本の木造建築物においてその木造建築技術は比類なき卓越したものと認識している。しかしながら木造建築物はそれ以外の建築構造物に比べ耐震性に劣っている。従ってその耐震性を充分なものにするために、従来の木造建築技術よりも補強金具やその他の新しい材料に耐震性能を負わせている現状にある（例えば、非特許文献１〜３参照）。要は建物が潰れないことに力点がある。
【手続補正３】
【補正対象書類名】明細書
【補正対象項目名】０００３
【補正方法】変更
【補正の内容】
【０００３】
元来、木造の建物は軽量で加工し易く、しなやかで気候風土に適した最良の資材である。寿命が来れば解体し易いことも大切である。現在、耐震のため補強金具が大量に使われ、その解体は容易なものではない。補強金具の限度を超えた地震に遭遇し建物に著しい傾斜が生じた場合、柱、梁等各部材は裂け、割れ、折れることになり復元は不可能に近い。このように建物が倒壊しなくても解体を余儀なくされることになり、木材資源の無駄使いになる。
【非特許文献１】増田一眞著「激震に生き残る伝統木構造の家」
【非特許文献２】小野徹郎他４名著「実伝統木造社寺建築の水平加力実験及び復元力特性（伝統木造社寺建築の耐震性能評価その１）」
【非特許文献３】中治弘行他４名著「東三河伝統構法民家の耐震性能評価のための性的切り返し加力実験」
【手続補正４】
【補正対象書類名】明細書
【補正対象項目名】０００５
【補正方法】変更
【補正の内容】
【０００５】
この発明は地震による上下動と横揺れを緩衝するために建物の基礎と建物を固定する鋼鉄製、或いは補強された集成材の架台（以下、架台という）の間に設ける免震装置である。
本発明の請求項１に記載の免震装置は、建物に固定された架台と基礎との間に設置される免震装置において、
建物の前記架台に取り付けられた滑り支承と、前記滑り支承を支持するための支承転動台と、前記支承転動台を支持するための衝撃緩衝装置と、建物の前記基礎に設置され、前記衝撃緩衝装置を支持するための装置固定盤と、を備えており、
前記滑り支承は、転動する複数の球体と、前記複数の球体を保持する保持器とを備え、前記支承転動台は、凹面を有する円盤体プレートを有し、前記衝撃緩衝装置は、複数の弾性体とフラットプレートを重ねて構成されており、
前記支承転動台は、前記衝撃緩衝装置を介して前記装置固定盤に支持され、前記衝撃緩衝装置は地震の際の竪揺れを緩衝し、また、前記滑り支承の前記複数の球体は前記支承転動台の前記円盤体プレートに支持され、前記複数の球体及び前記円盤体プレートは地震の際の横揺れを緩衝することを特徴とする。
また、本発明の請求項２に記載の免震装置は、建物に固定された架台と基礎との間に設置される免震装置において、
建物の前記架台に取り付けられた滑動基盤と、前記滑動基盤を支持するための滑り支承と、前記滑り支承を弾性的に支持するための弾性体と、建物の前記基礎に設置された装置固定盤と、を備えており、
前記滑り支承は、転動する複数の球体と、前記複数の球体を保持する保持器とを備え、前記滑動基盤は、前記架台に取り付けられる滑動用上部プレートと、前記滑り支承に支持される滑動用下部プレートと、前記滑動用上部プレート及び前記滑動用下部プレートの間に介在された弾性体とを有し、
前記滑り支承は、前記弾性体を介して前記装置固定盤に支持され、前記弾性体は地震の際の竪揺れを緩衝し、また、前記滑動基盤の前記滑動用下部プレートは前記滑り支承の前記複数の球体に支持され、前記複数の球体及び前記滑動用下部プレートは地震の際の横揺れを緩衝することを特徴とする。
また、本発明の請求項３に記載の免震装置では、建物の前記架台と前記基礎との間には、地震の際の全方向の動きを制御するための補助装置が設けられ、前記補助装置は前記滑り支承及び前記支承転動台の周りに配置されていることを特徴とする。
更に、本発明の請求項４に記載の免震装置では、前記補助装置は、建物の前記架台に設けられたアンカー金物と、建物の前記基礎に設置されたアンカー金物と、これらアンカー金物の間に介在された自在伸縮材とから構成されていることを特徴とする。
【手続補正５】
【補正対象書類名】明細書
【補正対象項目名】０００８
【補正方法】変更
【補正の内容】
【０００８】
この免震装置は上部装置と下部装置からなるものである。上部若しくは下部装置とした滑り支承は建物の自重を支え、地震の横揺れを吸収する役目を果たし、その対面する装置は滑り支承を円滑に作動させるためのもので、凹面を持った円盤体や平らな転動板である。更にそれらの装置に地震の上下動に対応する各種の弾性体を備えることでより免震効果を発揮する。
【手続補正６】
【補正対象書類名】明細書
【補正対象項目名】０００９
【補正方法】変更
【補正の内容】
【０００９】
補助装置は、上部装置及び下部装置を補完するために設けられる。自在伸縮材を使った補助装置は想定外の振動変位を制御する機能を持っている。更に強風や台風圧による建物の移動を制御する役目も担う。